(57)【要約】【課題】  有底側溝において必要に応じ調整コンクリートをあと打ちして自由勾配兼用側溝を構築する。【解決手段】  有底側溝１個毎の内底全長にわたりあらかじめターンバックルで突張り固定したフレーム定規で調整高さを形成し、あと打ち調整コンクリートの勾配面整形作業を容易とし拘束付着強度も安定向上させる。【選択図】図１
2014159724.tif 000002
【特許請求の範囲】
【請求項１】
あらかじめ必要に応じ、１個毎に内底全長に沿って調整勾配の高さにフレーム定規を固定したＵ形側溝を用い、連続布設したのち上方からコンクリートを打設し、埋没するフレーム定規上面に合わせて調整勾配面を整形する工法であって、前記フレーム定規を少なくとも両端寄部で串刺し直交状に連結するターンバックル付横梁で、両内壁面間に突張り固定することを特徴とする自由勾配兼用プレキャスト有底側溝。
【請求項２】
あらかじめ必要に応じ、１個毎に内底全長に沿って調整勾配の高さにフレーム定規を固定した上面開口のないボックス側溝を用い、１個布設毎に一方の開口端からコンクリートを投入打設し、その都度埋没するフレーム定規上面に合わせて調整勾配面を整形する工法であって、前記フレーム定規を両端寄部で串刺し直交状に連結するターンバックル付横梁で、両内壁面間に突張り固定することを特徴とする自由勾配兼用プレキャスト有底側溝。
【発明の詳細な説明】
【技術分野】
【０００１】  本発明は、道路の排水施設としてＵ形側溝、ボックス側溝等の内底に必要に応じて打設する調整コンクリートの勾配整形と補強安定に関する。
【背景技術】
【０００２】
【先行技術文献】
有底の側溝ブロックによるＵ形側溝や上面一部蓋掛ボックス側溝等では、もっぱら固定勾配を目的としつつも、通常の固定勾配施工を延長しそのまま一部を自由勾配施工とすることがあり、内底に従来の門形無底側溝での自由勾配施工に準じて一般に最小厚さ５ｃｍ以上の調整コンクリート打ちとしている。
しかし  有底のＵ形側溝は両内壁が上開き傾斜面で、底面との隅角部も曲面が多く、調整コンクリートは水流による浮力やブロック継目屈曲に対し側溝ブロック内底磨面との付着が安定せず、とくに最小厚さ５ｃｍ近くでは上開きの皿形状となるので拘束がなく、調整コンクリートの硬化収縮や維持管理におけるスコップの衝撃等で剥離滑脱が生じたり圧水噴射清掃にも適合しないことがある。
そのため、Ｕ形側溝では底面に凹部や開口部を設けたり、開口部に鉄筋を露出させる等調整コンクリートとの一体化安定を高める改良もすすめられているが、一般品との併用には不向きな特殊品となり、普及するに至っていない。
さらにまた、有底で上部に開口のないボックス側溝では、布設後に調整コンクリートの打設が出来ず、もっぱら固定勾配施工のみに用途が限定されている。
【０００３】
【特許文献１】  特開２００２−２３５３６５号公報
【発明の概要】
【発明が解決しようする課題】
【０００４】  Ｕ形側溝、ボックス側溝等有底側溝ブロックは、一般に両側壁が外圧荷重に対応し、上部より下部で厚く内壁が傾斜し通水断面は上開きの逆台形状で底面が狭いため、小水量でも水深と掃流性を得やすいので固定勾配施工に適し一般に普及しているが、この特徴を維持しそのままで調整コンクリートによる自由な勾配形成ができ、同時に付着安定をも高めればさらに用途が拡大する。
そして作業困難な深いＵ形側溝でも勾配調整を容易とし、さらに上部開口のないボックス側溝においても可能とすることである。
【課題を解決するための手段】
【０００５】  上方から手が届かず作業困難な深いＵ形側溝、および作業不可能な上部に開口のないボックス側溝におけるコンクリートの打設と調整勾配形成には、あらかじめ１個毎に内底全長に沿って変化する調整勾配の高さに埋設するフレーム定規を、串刺し直交状に連結するターンバックル付横梁で両内壁間に突張り固定する。
そして、Ｕ形側溝では連続布設してのち上方からコンクリート打ちし、埋没するフレーム定規上面に合わせて仕上げる。
また上部に開口のないボックス側溝では、１個据付接合と同時に他方の開口端からコンクリートを投入打設し、埋没するフレーム定規上面に合せて仕上げ、１個設置毎に調整勾配を形成し、順次連続して全体を完成させるものである。
【発明の効果】
【０００６】  有底構造のため、布設にはベースコンクリートが不要で工期が短縮する。
【０００７】  調整コンクリートが、最小厚さの場合で両内壁隅角曲面と内底面との上開き皿形状に拘束されたにすぎなくても、埋設フレーム定規横梁の突張り固定によって付着一体が向上し、浮力やブロック継目屈曲、調整コンクリートの硬化収縮に対しても安定し、さらに維持管理に適合した側溝構造となる。
【０００８】  フレーム定規の配設がターンバックルによるため１個毎に調整勾配の高さと内壁面傾斜の有無等に適応できる。
そして自由勾配施工において、
深いＵ形側溝では困難な調整コンクリート打設、勾配面整形の作業が容易となり、さらに上面開口のないボックス側溝でも調整勾配形成が可能となる。
【図面の簡単な説明】
【０００９】
【図１】  落し蓋Ｕ形側溝ブロックによる有底側溝自由勾配施工の実施例を示す切欠斜面図である。
【図２】  図１のＡ〜Ａ線にそった施工断面である。
【図３】  図１の落し蓋側溝ブロックによる有底側溝及びフレーム定規の一部切欠斜面図である。
【図４】  上部に開口のないボックス側溝ブロックによる有底側溝の内底にフレーム定規を固定した実施例を示す斜面図である。
【発明を実施するための形態】
【００１０】  Ｕ形側溝、ボックス側溝はおおむね通水断面が内幅上部３０〜４０ｃｍ、内壁は上開きに傾斜して下部が狭く、内高１０ｃｍ刻みで３０〜１２０ｃｍ、側壁は上部より下部で厚く外圧荷重に対応している。
長さは１ｍ、２ｍ等とするプレキャストコンクリートで供給され、基礎上に固定勾配施工で布設する。
自由勾配施工ではその通水断面内底に厚さを最小５〜最大１５ｃｍ程度の調整コンクリートをあと打ちするもので、差引１０ｃｍが側溝ブロック１個当りの高さ調整範囲となる。
【００１１】  自由勾配施工において、調整コンクリート打ち作業は深いＵ形側溝や上部開口のないボックス側溝では、あらかじめ側溝ブロック１個毎に内底全長に沿って変化する調整勾配の高さに１条ないし２条のフレーム定規を横梁によって両内壁間に突張り固定する。
横梁はターンバックルによるため、必要な高さに固定でき脱落することなく安定する。
そして、深いＵ形側溝では連続布設後にコンクリートを投入打設し、埋没するフレーム定規上面に合わせて手作業に適す長い柄のトンボやローラー作業具等で均し、調整勾配面に整形する。
また、ボックス側溝では１個据付接合と同時に一方の開口端からコンクリートを投入打設し、その都度埋設するフレーム定規に合わせて長い柄のトンボやローラー作業具等で均して調整勾配面を整形し、順次連続して全体を完成する。
【００１２】  フレーム定規の材質は、主にコンクリート埋設型枠材やステンレス帯板等を用い、横梁間をスパンとする梁としてもたわみ変形の生じにくい平板、Ｉ形、Ｌ形等とし、高さを調整コンクリート厚さ以内で、側溝ブロック単体とほぼ同長とする。
そして、内底面上で自在に高さ調整し、少なくとも作業可能な両端寄でフレーム定規を串刺し直交するターンバックル付き横梁で両内壁面に突張り固定する。
この場合、両端寄の埋設横梁が調整コンクリートをも補強し、ブロック継目の屈曲に対しも安定向上する。
横梁のターンバックルは、おおむねパイプ式枠長１５０ｍｍボルトφ９ｍｍを標準とし、ボルトの先端と両内壁との点接触で両内壁が垂直か上開き傾斜かにかかわらず突張固定が成立する。
【実施例】
【００１３】  図１に実施例の施工状態を示す。
（１）は落し蓋Ｕ形側溝ブロックによる蓋受小段（４）付きの有底側溝、（２）は落し蓋である。
有底側溝（１）は図１、図２、図３に示すとおり両隅角曲面から上開きの両側全長にわたり底部内壁面（５）が形成されている。
有底側溝（１）は、上面を道路に合わせて基礎（３０）の上に固定勾配で布設するが、あらかじめ内底部に２条のフレーム定規（２０）が直交するターンバックル（２１）にナット（２３）で連結され勾配調整高さにターンバックルの両ボルト（２２）（２２）で底部内壁面（５）（５）間に突張固定されている。
そして排水勾配に合わせて調整コンクリート（１０）を打設し、埋没するフレーム定規（２０）上面に沿い同一面に整形し勾配調整有底側溝を構築する。
あと打ち調整コンクリート（１０）は、埋設一体化されたターンバックル（２１）によって底部内壁面（５）（５）間に突張固定され、スリップが生じなく上方に向ってひろがる通水断面の内底で、上面が開放され底部内壁面（５）（５）と内底面（４）の三面皿形状のみの拘束であっても硬化後に上方へ滑脱せず碇着を強化する構造となっている。【００１４】  図４に別の実施例を示す。
（１）は上部にスリット（５）付きボックス側溝ブロックによる有底側溝（１）で、あらかじめフレーム定規を固定した実施例である。有底側溝（１）には、内底部に１条のフレーム定規（２０）を用い直交するターンバックル（２１）にナット（２３）で連結され勾配調整高さにターンバックルの両ボルト（２２）（２２）で底部内壁面（５）（５）間の側溝端寄に突張固定されている。
この実施例のフレーム定規（２０）は有底側溝の内底部に左右均等配設するため対角状に両ターンバックルと左右交互に連結している。
【産業上の利用可能性】
【００１５】  従来の一般流通有底側溝が道路排水の基幹となるプレキャストコンクリート製品でありながら勾配調整できず用途が限定されていたが、本発明によって普及面での制約は生じないものとなる。
【符号の説明】
【００１６】    １    有底側溝
２    落し蓋
３    蓋受小段
４    内底面
５    底部内壁面
６    スリット
１０    調整コンクリート
２０    フレーム定規
２１    ターンバックル
２２    ボルト
２３    ナット
３０    基礎
【図１】
2014159724.tif 000003
【図２】
2014159724.tif 000004
【図３】
2014159724.tif 000005
【図４】
2014159724.tif 000006